【手続補正書】
【提出日】平成17年3月17日(2005.3.17)
【手続補正１】
【補正対象書類名】明細書
【補正対象項目名】特許請求の範囲
【補正方法】変更
【補正の内容】
【特許請求の範囲】
【請求項１】
モータドライバから供給される電流により駆動されるスピンドルモータを備えた装置において、
前記スピンドルモータの温度を測定する温度センサと、
前記装置を利用するホストシステムとの間のデータの通信を制御するインタフェース制御回路と、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記ホストシステムに対して、前記スピンドルモータの温度を前記温度範囲内に入れるための加熱または冷却要求と、前記温度センサで測定された現在の前記スピンドルモータの温度と、加熱または冷却により起動可能となるまでの待ち時間とを、前記インタフェース制御回路を介して通知するＣＰＵと
を具備することを特徴とするスピンドルモータを備えた装置。
【請求項２】
モータドライバから供給される電流により駆動されるスピンドルモータを備えた装置において、
前記スピンドルモータの温度を測定する温度センサと、
前記装置を利用するホストシステムとの間のデータの通信を制御するインタフェース制御回路と、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲の下限より低い場合、前記ホストシステムに対して、加熱要求と、前記温度センサで測定された現在の前記スピンドルモータの温度と、加熱により起動可能となるまでの待ち時間とを、前記インタフェース制御回路を介して通知するＣＰＵと
を具備することを特徴とするスピンドルモータを備えた装置。
【請求項３】
モータドライバから供給される電流により駆動されるスピンドルモータを備えた装置において、
前記スピンドルモータの温度を測定する温度センサと、
前記装置を利用するホストシステムとの間のデータの通信を制御するインタフェース制御回路と、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲の上限より高い場合、前記ホストシステムに対して、冷却要求と、前記温度センサで測定された現在の前記スピンドルモータの温度と、冷却により起動可能となるまでの待ち時間とを、前記インタフェース制御回路を介して通知するＣＰＵと
を具備することを特徴とするスピンドルモータを備えた装置。
【請求項４】
モータドライバから供給される電流により駆動されるスピンドルモータを備えた装置において、
前記スピンドルモータの温度を測定する温度センサと、
少なくとも前記スピンドルモータを加熱または冷却する加熱／冷却機と、
前記装置を利用するホストシステムとの間のデータの通信を制御するインタフェース制御回路と、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記スピンドルモータの温度が前記温度範囲内に入るように前記加熱／冷却機により前記スピンドルモータを加熱または冷却させると共に、前記ホストシステムに対して、前記温度センサで測定された現在の前記スピンドルモータの温度と、加熱または冷却により起動可能となるまでの待ち時間とを、前記インタフェース制御回路を介して通知するＣＰＵと
を具備することを特徴とするスピンドルモータを備えた装置。
【請求項５】
前記ＣＰＵは、前記待ち時間を、現在の前記スピンドルモータの温度と、一定時間当たりの当該モータの温度の変化量から算出することを特徴とする請求項１乃至請求項４のいずれかに記載のスピンドルモータを備えた装置。
【請求項６】
前記スピンドルモータの種類に固有の前記スピンドルモータ起動可能温度範囲が予め記憶された不揮発性記憶手段を更に具備し、
前記ＣＰＵは、前記温度センサで測定された前記スピンドルモータの温度と前記不揮発性記憶手段に記憶された前記スピンドルモータ起動可能温度範囲とを比較することで、前記スピンドルモータの温度が当該温度範囲から外れているか否かを判定することを特徴とする請求項１または請求項４記載のスピンドルモータを備えた装置。
【請求項７】
モータドライバから供給される電流により駆動されてディスク媒体を回転させるスピンドルモータを備えたディスク記憶装置において、
前記スピンドルモータの温度を測定する温度センサと、
前記ディスク記憶装置を利用するホストシステムとの間のデータの通信を制御するインタフェース制御機能を有するディスクコントローラと、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記ホストシステムに対して、前記スピンドルモータの温度を前記温度範囲内に入れるための加熱または冷却要求と、前記温度センサで測定された現在の前記スピンドルモータの温度と、加熱または冷却により起動可能となるまでの待ち時間とを、前記ディスクコントローラを介して通知するＣＰＵと
を具備することを特徴とするディスク記憶装置。
【請求項８】
モータドライバから供給される電流により駆動されてディスク媒体を回転させるスピンドルモータを備えたディスク記憶装置において、
前記スピンドルモータの温度を測定する温度センサと、
少なくとも前記スピンドルモータを加熱または冷却する加熱／冷却機と、
前記ディスク記憶装置を利用するホストシステムとの間のデータの通信を制御するインタフェース制御機能を有するディスクコントローラと、
前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記スピンドルモータの温度が前記温度範囲内に入るように前記加熱／冷却機により前記スピンドルモータを加熱または冷却させると共に、前記ホストシステムに対して、前記温度センサで測定された現在の前記スピンドルモータの温度と、加熱または冷却により起動可能となるまでの待ち時間とを、前記ディスクコントローラを介して通知するＣＰＵと
を具備することを特徴とするディスク記憶装置。
【請求項９】
モータドライバから供給される電流により駆動されるスピンドルモータを備えた装置と、
前記装置を利用するホストシステムと、
前記ホストシステムから出力される情報を表示するディスプレイと、
前記ホストシステムの制御により少なくとも前記装置を加熱または冷却する加熱／冷却機と
を具備し、
前記装置は、前記スピンドルモータの温度を測定する温度センサと、前記ホストシステムとの間のデータの通信を制御するインタフェース制御回路と、前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記ホストシステムに対して、前記スピンドルモータの温度を前記温度範囲内に入れるための加熱または冷却要求と、前記温度センサで測定された現在の前記スピンドルモータの温度と、加熱または冷却により起動可能となるまでの待ち時間とを、前記インタフェース制御回路を介して通知するＣＰＵとを備え、
前記ホストシステムは、前記インタフェース制御回路を介して通知される前記加熱または冷却要求に応じて前記加熱／冷却機を制御すると共に、前記インタフェース制御回路を介して通知される前記スピンドルモータの温度と前記待ち時間とが反映された情報を前記ディスプレイに表示する
ことを特徴とするシステム。
【請求項１０】
モータドライバから供給される電流により駆動されるスピンドルモータを備えた装置と、
前記装置を利用するホストシステムと、
前記ホストシステムから出力される情報を表示するディスプレイと
を具備し、
前記装置は、前記スピンドルモータの温度を測定する温度センサと、少なくとも前記スピンドルモータを加熱または冷却する加熱／冷却機と、前記ホストシステムとの間のデータの通信を制御するインタフェース制御回路と、前記モータドライバを介して前記スピンドルモータの起動を制御するＣＰＵであって、前記スピンドルモータの起動に失敗し、且つ前記温度センサで測定された前記スピンドルモータの温度が予め定められたスピンドルモータ起動可能温度範囲から外れている場合、前記スピンドルモータの温度が前記温度範囲内に入るように前記加熱／冷却機により前記スピンドルモータを加熱または冷却させると共に、前記ホストシステムに対して、前記温度センサで測定された現在の前記スピンドルモータの温度と、加熱または冷却により起動可能となるまでの待ち時間とを、前記インタフェース制御回路を介して通知するＣＰＵとを備え、
前記ホストシステムは、前記インタフェース制御回路を介して通知される前記スピンドルモータの温度と前記待ち時間とが反映された情報を前記ディスプレイに表示する
ことを特徴とするシステム。